(57)【要約】【課題】電解槽の小型化を図ることのできる水処理装置を得る。【解決手段】水処理装置１は、カルシウム容器３が電解槽２の下側容器２１ｂの側方に配置されている。また、分岐部５Ｄによって原水導入路４を、経路の途中にカルシウム容器３が配置されてカルシウム成分が添加された原水を電解槽２に導入する第１の導入路４１とカルシウム容器３を通過しない原水を電解槽２に導入する第２の導入路４４とに分岐させている。そして、第１の導入路４１および第２の導入路４４を、電解槽２の上側容器２１ａおよび下側容器２１ｂのうち下側容器２１ｂのみに接続させるようにした。【選択図】図１
2013126620.tif 000002
【特許請求の範囲】
【請求項１】
外部から導入された原水が通過する原水導入路と、原水にカルシウム成分を添加するカルシウム容器と、原水を導入して電気分解する電解槽と、を備える水処理装置であって、
前記電解槽は、上側容器と下側容器とを備えており、前記カルシウム容器が前記下側容器の側方に配置されており、
前記原水導入路が形成される配管には分岐部が形成されており、当該分岐部によって前記原水導入路が、経路の途中に前記カルシウム容器が配置されてカルシウム成分が添加された原水を前記電解槽に導入する第１の導入路と前記カルシウム容器を通過しない原水を前記電解槽に導入する第２の導入路とに分岐されており、
前記第１の導入路および第２の導入路は、前記電解槽の上側容器および下側容器のうち下側容器のみに接続されていることを特徴とする水処理装置。
【請求項２】
前記原水導入路が形成される配管が上下方向に延在するように配置され、当該配管の上部に前記分岐部が形成されており、
前記分岐部によって分岐された前記第１の導入路が、前記カルシウム容器の上部に形成された流入口に接続される導入路と、カルシウム容器の下部に形成された流出口および前記電解槽の下側容器に接続される流出路とを備え、
前記分岐部によって分岐された前記第２の導入路は、前記電解槽の下側容器のみに上下に延在するように一体成形された容器一体通路を有し、前記カルシウム容器を通過しない原水が、当該容器一体通路を通って前記電解槽に導入されることを特徴とする請求項１に記載の水処理装置。
【請求項３】
前記原水導入路が形成される配管が上下方向に延在するように配置され、当該配管の下部に前記分岐部が形成されており、
前記分岐部によって分岐された前記第１の導入路が、前記カルシウム容器の下部に形成された流入口に接続される導入路と、カルシウム容器の上部に形成された流出口に接続される流出路とを備え、
前記分岐部によって分岐された前記第２の導入路は、前記電解槽の下側容器のみに上下に延在するように一体成形された容器一体通路を有し、前記カルシウム容器を通過しない原水が、当該容器一体通路を通って前記電解槽に導入されることを特徴とする請求項１に記載の水処理装置。
【請求項４】
前記第１の導入路および第２の導入路が、前記電解槽の原水導入口の上流側で合流していることを特徴とする請求項１〜３のうちいずれか１項に記載の水処理装置。
【請求項５】
前記水処理装置は、天壁および側壁を有するケース本体を備えており、
前記ケース本体の下部には、前記カルシウム容器にカルシウム剤を充填するための補充口が形成されており、前記ケース本体の天壁および側壁のうち側壁のみに、補充口を覆うカバーが開閉自在に設けられていることを特徴とする請求項１〜４のうちいずれか１項に記載の水処理装置。
【発明の詳細な説明】
【技術分野】
【０００１】
本発明は、水処理装置に関する。
【背景技術】
【０００２】
従来、水の電気分解によりアルカリイオン水を生成する水処理装置として、原水の供給通路にカルシウム剤を収容したカルシウム容器を設け、このカルシウム容器から原水中にカルシウム成分を溶出させることで、電解槽に流入する原水の導電率を高めて水の電気分解を促進させるようにしたものが知られている（例えば、特許文献１参照）。
【０００３】
この特許文献１では、水処理装置内に導入した水を浄水器の下方から上方に流して浄化し、浄化した浄水（原水）が装置上部に配置したカルシウム容器を通過することでカルシウム成分が添加されるようになっている。そして、カルシウム成分が添加された原水は、原水供給通路を介して電解槽の下側へと供給され、電解槽の下側から槽内に導入されて電気分解される。
【先行技術文献】
【特許文献】
【０００４】
【特許文献１】特許第３９１５１６９号公報
【発明の概要】
【発明が解決しようとする課題】
【０００５】
しかしながら、上記従来の水処理装置では、原水供給通路は水処理装置の上部に配置したカルシウム容器から電解槽の下側まで配管されることとなる。このとき、原水供給通路を電解槽の容器と一体成形することで水処理装置の小型化を図るのが一般的である。この場合、電解槽の容器の上側から下側に亘って原水供給通路が形成されることとなる。
【０００６】
また、電解槽の容器は、通常、電極などの内部構成部品を容易に組み付けることができるように上下に分割されている。そして、上側容器と下側容器のそれぞれの分割部にフランジを設け、フランジ間にシール材を介在させて結合することで、電解槽を液密に形成している。
【０００７】
ところが、上下分割構造とした電解槽の容器の上側から下側に亘って原水供給通路を一体成形すると、原水供給通路も上下に分割されることになるため、原水供給通路の分割部にもフランジを設け、それぞれのフランジをシール材を介して液密に結合させる必要があった。
【０００８】
このように、上記従来の水処理装置では、電解槽と一体化した原水供給通路にもフランジを設ける必要があり、その分だけ電解槽が大型化してしまうという問題があった。
【０００９】
そこで、本発明は、電解槽の小型化を図ることのできる水処理装置を得ることを目的とする。
【課題を解決するための手段】
【００１０】
本発明の第１の特徴は、外部から導入された原水が通過する原水導入路と、原水にカルシウム成分を添加するカルシウム容器と、原水を導入して電気分解する電解槽と、を備える水処理装置であって、前記電解槽は、上側容器と下側容器とを備えており、前記カルシウム容器が前記下側容器の側方に配置されており、前記原水導入路が形成される配管には分岐部が形成されており、当該分岐部によって前記原水導入路が、経路の途中に前記カルシウム容器が配置されてカルシウム成分が添加された原水を前記電解槽に導入する第１の導入路と前記カルシウム容器を通過しない原水を前記電解槽に導入する第２の導入路とに分岐されており、前記第１の導入路および第２の導入路は、前記電解槽の上側容器および下側容器のうち下側容器のみに接続されていることを要旨とする。
【００１１】
本発明の第２の特徴は、前記原水導入路が形成される配管が上下方向に延在するように配置され、当該配管の上部に前記分岐部が形成されており、前記分岐部によって分岐された前記第１の導入路が、前記カルシウム容器の上部に形成された流入口に接続される導入路と、カルシウム容器の下部に形成された流出口および前記電解槽の下側容器に接続される流出路とを備え、前記分岐部によって分岐された前記第２の導入路は、前記電解槽の下側容器のみに上下に延在するように一体成形された容器一体通路を有し、前記カルシウム容器を通過しない原水が、当該容器一体通路を通って前記電解槽に導入されることを要旨とする。
【００１２】
本発明の第３の特徴は、前記原水導入路が形成される配管が上下方向に延在するように配置され、当該配管の下部に前記分岐部が形成されており、前記分岐部によって分岐された前記第１の導入路が、前記カルシウム容器の下部に形成された流入口に接続される導入路と、カルシウム容器の上部に形成された流出口に接続される流出路とを備え、前記分岐部によって分岐された前記第２の導入路は、前記電解槽の下側容器のみに上下に延在するように一体成形された容器一体通路を有し、前記カルシウム容器を通過しない原水が、当該容器一体通路を通って前記電解槽に導入されることを要旨とする。
【００１３】
本発明の第４の特徴は、前記第１の導入路および第２の導入路が、前記電解槽の原水導入口の上流側で合流していることを要旨とする。
【００１４】
本発明の第５の特徴は、前記水処理装置は、天壁および側壁を有するケース本体を備えており、前記ケース本体の下部には、前記カルシウム容器にカルシウム剤を充填するための補充口が形成されており、前記ケース本体の天壁および側壁のうち側壁のみに、補充口を覆うカバーが開閉自在に設けられていることを要旨とする。
【発明の効果】
【００１５】
本発明によれば、カルシウム容器を電解槽の下側容器の側方に配置している。そして、経路の途中にカルシウム容器が配置されてカルシウム成分が添加された原水を電解槽に導入する第１の導入路と、カルシウム容器を通過しない原水を電解槽に導入する第２の導入路とを、電解槽の上側容器および下側容器のうち下側容器のみに接続している。その結果、電解槽の上側容器に通路を形成しないようにすることができ、上側容器および下側容器に通路用のフランジを設ける必要がなくなるため、その分だけ電解槽の小型化を図ることができる。
【００１６】
また、カルシウム容器を電解槽の下側容器の側方に配置することで、水処理装置が大型化してしまうのを極力抑制しつつ電解槽の小型化を図ることが可能となる。
【図面の簡単な説明】
【００１７】
【図１】本発明の第１実施形態にかかる水処理装置を概略的に示す断面図である。
【図２】図１のI−I線断面図である。
【図３】本発明の第１実施形態にかかる水処理装置を概略的に示す斜視図である。
【図４】本発明の第２実施形態にかかる水処理装置を概略的に示す断面図である。
【発明を実施するための形態】
【００１８】
以下、本発明の実施形態について図面を参照しつつ詳細に説明する。なお、以下では、水処理装置としてアルカリイオン整水器を例示する。また、以下では、浄化装置等で浄化された浄水についても原水として説明する。すなわち、本発明では、電解槽に導入される水（電解水が生成される前の水）を原水と定義する。
【００１９】
また、以下の複数の実施形態には、同様の構成要素が含まれている。よって、以下では、それら同様の構成要素には共通の符号を付与するとともに、重複する説明を省略する。
【００２０】
（第１実施形態）
本実施形態にかかるアルカリイオン整水器（水処理装置）１は、ケース本体６を備えている。そして、このケース本体６内には、槽内に導入された原水を電気分解する電解槽２およびこの電解槽２に供給される原水にカルシウム成分を添加するカルシウム容器３が設けられている。そして、ケース本体６の外部から内部に導入された原水は、後述する通路を通って、少なくとも一部をカルシウム容器３内に導入してカルシウム成分を添加した状態で、電解槽２に供給されるようになっている。なお、原水としては、水道水や井戸水等を用いることができる。本実施形態では、図示省略した蛇口直結型の浄水器等で浄化した水道水を原水として用いるようにしたものを例示する。
【００２１】
電解槽２は、図２に示すように、ＡＢＳ樹脂等の絶縁材料で形成した容器２１で外郭が形成されており、容器２１内は、隔膜２２ａを設けた仕切板２２で画成されている。仕切板２２は、容器２１の中心側に配置されており、隔膜２２ａによって容器２１の中心部分が囲われている。
【００２２】
そして、隔膜２２ａで囲った内方に１枚の陽極電極板２３を配置し、隔膜２２ａと容器２１との間に陰極電極板２４を配置している。このとき、陰極電極板２４は、陽極電極板２３の両面に対向するように２枚が配置されている。
【００２３】
このように、本実施形態では、電解槽２は、隔膜２２ａ（仕切板２２）の内方の陽極電極板２３が配置された空間が陽極室２５となり、隔膜２２ａと容器２１との間の陰極電極板２４が配置された空間が陰極室２６となっている。また、電解槽２の底壁２ａには原水導入口２７を設け、天壁２ｂには、陰極室２６に連通する第１の流出口２８と陽極室２５に連通する第２の流出口２９とを設けている。
【００２４】
そして、原水導入口２７から槽内に導入された原水（本実施形態では、後述する混合原水）は、図２の矢印で示すように、一部の原水が陽極室２５内に流入するとともに、残りの原水が陰極室２６内に流入する。この状態で、陽極電極板２３と陰極電極板２４との間に、陽極電極板２３側が陽極となり陰極電極板２４側が陰極となるように電圧を印加すると、陽極室２５内に酸性水が生成され、陰極室２６内にアルカリイオン水が生成される。そして、陰極室２６で生成されたアルカリイオン水は第１の流出口２８から流出され、陽極室２５で生成された酸性水は第２の流出口２９から流出される。
【００２５】
第１の流出口２８から流出したアルカリイオン水は、図１に示すように、吐出キャップ７１を経由して吐出管７から外部へと吐出され、飲用等の用途に用いられる。また、第２の流出口２９から流出した酸性水は、排出管８から機外へと排出される。なお、本実施形態では、排出管８は電解槽２の容器２１と一体に成形されている。
【００２６】
また、本実施形態では、電解槽２の容器２１は、上下に２分割した上側容器２１ａと下側容器２１ｂとで構成されている。そして、分割した上側および下側容器２１ａ、２１ｂは、それぞれに設けたフランジ２１ｃ、２１ｄ間にパッキングやＯリング等の平面シール材２１ｅを介して液密に結合される。このとき、容器２１と一体成形された排出管８も上側および下側容器２１ａ、２１ｂの分割面で分割されるため、平面シール材２１ｅを介して液密に結合されることとなる。
【００２７】
カルシウム容器３は、外郭を成す筒状ケーシング３１と、この筒状ケーシング３１の内方に収納される網状のカルシウム添加筒３２とを備えており、このカルシウム添加筒３２内にカルシウム剤が収容されている。なお、カルシウム剤としては、グリセロリン酸カルシウムや乳酸カルシウム等を用いることができる。そして、筒状ケーシング３１の上下方向一端部から導入した原水をカルシウム添加筒３２内に通過させた後、上下方向他端部から吐出するようになっている。また、カルシウム容器３は、上端部にカルシウム剤の補充口３３が設けられており、この補充口３３は開閉蓋３４によって開閉自在に閉止されている。
【００２８】
カルシウム容器３の筒状ケーシング３１の上部には、流入口３１ａが設けられており、下部には、流出口３１ｂが設けられている。そして、流入口３１ａにはオリフィス３１ｃが設けられている。このオリフィス３１ｃの内径は、０．７ｍｍ〜１．２ｍｍ程度とするのが好ましい。
【００２９】
また、本実施形態では、カルシウム容器３を電解槽２の下側容器２１ｂの側方に配置している。
【００３０】
ところで、アルカリイオン整水器１のケース本体６は、図３に示すように、天壁６４と側壁６１と底壁６５とで略直方体状に形成されており、このケース本体６内に電解槽２およびカルシウム容器３が配置されている。なお、カルシウム容器３は、電解槽２と比較して十分に小さいものであり、その高さも電解槽２よりも十分に低くなっている。
【００３１】
そして、本実施形態では、電解槽２を、下側容器２１ｂがケース本体６の下部に位置するように配置しているため、カルシウム容器３は、下側容器２１ｂが位置するケース本体６の下部に配置されることとなる。
【００３２】
具体的には、カルシウム容器３をケース本体６の４隅のうちの１つの隅部の下部に配置している。そして、ケース本体６の側壁６１には、カルシウム容器３の上端部と対応する位置に凹設部６２が形成されている。この凹設部６２は、図３に示すように、底面６２ａと２つの側面６２ｂと頂面６２ｃとによってケース本体６の内方と画成されている。
【００３３】
さらに、凹設部６２の底面（ケース本体６の下部）６２ａには、カルシウム容器３内にカルシウム剤を充填するための補充口３３が形成されている。この補充口３３は、図１に示すように、開閉蓋３４で閉止されている。
【００３４】
また、凹設部６２には開放部６２ｄが設けられており、この開放部６２ｄを開閉自在に閉止するカバー６３が設けられている。このカバー６３は、図３に示すように、ケース本体６の隅部の稜線を共有するようにＬ字状に形成されている。したがって、本実施形態では、開放部６２ｄをカバー６３で閉止すると、凹設部６２が隠されてケース本体６の外観が略直方体となる。そして、カルシウム剤を補充する際には、カバー６３を開いて開閉蓋３４を取り外し、補充口３３からカルシウム添加筒３２内にカルシウム剤を投入するようになっている。なお、開閉蓋３４およびカルシウム添加筒３２を取り外し、カルシウム添加筒３２内にカルシウム剤を投入してから、カルシウム添加筒３２を補充口３３に挿入することで、カルシウム剤を補充させるようにしてもよい。
【００３５】
このように、本実施形態では、ケース本体６の天壁６４および側壁６１のうち側壁６１のみに、補充口３３を覆うカバー６３が開閉自在に設けられている。なお、カバー６３の側壁６１への取付構造は、公知の構造を採用することができる。
【００３６】
次に、ケース本体６の外部から内部に導入された原水が電解槽２内に導入される通路について説明する。
【００３７】
まず、ケース本体６の外部から導入された原水は、原水導入路４を通ることとなる。本実施形態では、原水導入路４は、電解槽２の下側容器２１ｂとカルシウム容器３の間で、上下方向に延在する鉛直管（配管）５１の内部に形成されている。この鉛直管（配管）５１は、ケース本体６の底壁６５から外部に連通されており、下側からケース本体６内に原水が導入されるようになっている。
【００３８】
そして、鉛直管（配管）５１には分岐部５Ｄが形成されており、原水導入路４は、この分岐部５Ｄによって２つの通路に分岐されている。具体的には、鉛直管（配管）５１の上部に水平方向に延在する水平管５２を連結した略Ｔ字状の配管を用い、鉛直管（配管）５１の上部の水平管５２とつきあたる部位に分岐部５Ｄが形成されるようにしている。
【００３９】
そして、一方の通路を、経路の途中にカルシウム容器３が配置されてカルシウム成分が添加された原水を電解槽２に導入する第１の導入路４１とし、他方の通路を、カルシウム容器３を通過しない原水を電解槽２に導入する第２の導入路４４としている。
【００４０】
分岐部５Ｄによって分岐された第１の導入路４１は、カルシウム容器３の上部に形成された流入口３１ａに接続される導入路４２と、カルシウム容器３の下部に形成された流出口３１ｂに接続される流出路４３と、を備えている。そして、この流出路４３が電解槽２の下側容器２１ｂに接続されており、カルシウム成分が添加された原水が電解槽２に導入されるようにしている。
【００４１】
本実施形態では、水平管５２の一側（図１の左側）内に導入路４２が形成されており、この水平管５２の一端（図１の左端）をカルシウム容器３の流入口３１ａに設けられたオリフィス３１ｃを覆うように連結している。こうして、導入路４２とカルシウム容器３（筒状ケーシング３１）内とが、オリフィス３１ｃを介して連通されることとなる。
【００４２】
そして、カルシウム容器３（筒状ケーシング３１）の下部には、水平方向に延在する流出管５３が連結されており、この流出管５３内に流出路４３が形成されている。そして、流出路４３とカルシウム容器３（筒状ケーシング３１）内とが流出口３１ｂを介して連通されている。このように、第１の導入路４１は、導入路４２と流出路４３とで構成されており、導入路４２と流出路４３の間にカルシウム容器３が配置されている。
【００４３】
一方、分岐部５Ｄによって分岐された第２の導入路４４は、電解槽２の下側容器２１ｂのみに上下に延在するように一体成形された容器一体通路４６を有している。そして、カルシウム容器３を通過しない原水が、当該容器一体通路４６を通って電解槽２に導入されるようにしている。
【００４４】
本実施形態では、容器一体通路４６は、容器一体管５４内に形成されており、容器一体管５４は、電解槽２の下側容器２１ｂに一体成形されている。そして、容器一体管５４は、下部が原水導入口２７に連通するように形成されており、容器一体通路４６内を通過した原水が原水導入口２７から電解槽２内に導入されるようにしている。また、容器一体管５４の上部には、一端側（図１の左側）に筒状に突出する上側連結部５４ａが形成されており、この上側連結部５４ａに水平管５２の他端（図１の右端）が連結されている。そして、容器一体管５４の下部には、一端側（図１の左側）に筒状に突出する下側連結部５４ｂが形成されている。すなわち、第２の導入路４４は、水平管５２の他側内の通路４５、容器一体通路４６で構成されている。
【００４５】
このように、本実施形態では、ケース本体６の外部から導入された原水を分岐部５Ｄで分岐させて、カルシウム容器３を通過する原水とカルシウム容器３を通過しない原水とに分離している。そして、一部の原水のみにカルシウム成分を溶出させるようにすることで、電解槽２に導入される原水のカルシウム濃度が高くなってしまわないようにしている。
【００４６】
さらに、本実施形態では、第１の導入路４１および第２の導入路４４を、電解槽２の原水導入口２７の上流側で合流させている。
【００４７】
具体的には、流出管５３の他端（図１の右端）を下側連結部５４ｂに連結することで、第１の導入路４１を通過した原水を原水導入口２７から電解槽２内に導入されるようにしている。このとき、第１の導入路４１を通過した原水と第２の導入路４４を通過した原水とが合流部５Ｃで合流することとなる。
【００４８】
すなわち、第１の導入路４１を通過してカルシウム成分が添加された原水と第２の導入路４４を通過したカルシウム成分が添加されていない原水とを合流部５Ｃで混合させ、混合させた混合原水を電解槽２の原水導入口２７から導入するようにしている。
【００４９】
このように、分岐部５Ｄで原水を分岐させ、カルシウム容器３を通過する原水とカルシウム容器３を通過しない原水とに分離させた後に、カルシウム成分が添加された原水とカルシウム容器３を通らない原水とを混合することで、原水のカルシウム濃度を希釈するようにしている。
【００５０】
本実施形態では、カルシウム容器３の流入口３１ａにオリフィス３１ｃを設けることで濃度調整を行っている。具体的には、オリフィス３１ｃの内径を適宜設定することで、第１の導入路４１に導入される原水と第２の導入路４４に導入される原水の比率を調整し、混合原水中のカルシウム濃度が所望の濃度となるようにしている。上述したように、本実施形態では、オリフィス３１ｃの内径を０．７ｍｍ〜１．２ｍｍ程度に設定している。
【００５１】
かかる構成のアルカリイオン整水器１を用いると、まず、図示省略した蛇口直結型の浄水器等で浄化した水道水（原水）がケース本体６の外部から原水導入路４内に導入される。原水導入路４内に導入された原水は、鉛直管（配管）５１内を下から上へと流れ、分岐部５Ｄで分岐される。
【００５２】
そして、分岐部５Ｄで分岐して第１の導入路４１に導入された原水は、流入口３１ａからカルシウム容器３（筒状ケーシング３１）内に導入され、カルシウム容器３（筒状ケーシング３１）内を主に上から下に向けて移動する。このとき、カルシウム添加筒３２内のカルシウム剤と接触した原水にカルシウム成分が溶出される。そして、この溶出によりカルシウム成分が添加された原水は、流出口３１ｂから流出管５３を経由して下側連結部５４ｂから容器一体管５４内に流入する。
【００５３】
一方、分岐部５Ｄで分岐して第２の導入路４４に導入された原水は、水平管５２の他端（図１の右端）を経由して上側連結部５４ａから容器一体管５４内に流入する。そして、容器一体管５４内を上方から下方に向けて移動する。
【００５４】
そして、下側連結部５４ｂから容器一体管５４内に流入したカルシウム成分が添加された原水と、上側連結部５４ａから容器一体管５４内に流入した原水とが、合流部５Ｃで合流し、容器一体管５４内で混合して混合原水となり、電解槽２の原水導入口２７から電解槽２内に導入される。
【００５５】
そして、電解槽２内に導入された混合原水は、分離してそれぞれ陰極室２６および陽極室２５に導入され、陰極室２６ではアルカリイオン水が生成されて吐出管７から吐出され、陽極室２５では酸性水が生成されて排出管８から排出される。
【００５６】
このように、本実施形態では、原水導入路４内に導入されて下方から上方に向けて流した原水を、下側容器２１ｂのフランジ２１ｄ（下側容器２１ｂの上端）よりも手前で２つの通路に分岐させつつ下方に向けて折り返し、下側容器２１ｂの下部に設けた原水導入口２７から電解槽２内に導入するようにしている。具体的には、カルシウム容器３を通過する原水およびカルシウム容器３を通過しない原水が、ともに円を描くように周回しながら原水導入口２７を介して電解槽２内に導入されるようにしている。そして、電解槽２の上側容器２１ａに、電解槽２内に導入される前の原水が通過する通路を形成しないようにしている。
【００５７】
以上説明したように、本実施形態では、カルシウム容器３を電解槽２の下側容器２１ｂの側方に配置している。そして、経路の途中にカルシウム容器３が配置されてカルシウム成分が添加された原水を電解槽２に導入する第１の導入路４１と、カルシウム容器３を通過しない原水を電解槽２に導入する第２の導入路４４とを、電解槽２の上側容器２１ａおよび下側容器２１ｂのうち下側容器２１ｂのみに接続している。その結果、電解槽２の上側容器２１ａに通路を形成しないようにすることができる。すなわち、上側容器２１ａおよび下側容器２１ｂに亘って形成される通路を形成する必要がなくなる。その結果、上側容器２１ａおよび下側容器２１ｂに亘って形成される通路用のフランジを設ける必要がなくなるため、その分だけ電解槽２の小型化を図ることができる。
【００５８】
また、カルシウム容器３を電解槽２の下側容器２１ｂの側方に配置することで、アルカリイオン整水器（水処理装置）１が大型化してしまうのを極力抑制しつつ電解槽２の小型化を図ることが可能となる。
【００５９】
また、本実施形態では、原水導入路４が形成される鉛直管（配管）５１を上下方向に延在するように配置し、当該鉛直管（配管）５１の上部に分岐部５Ｄを形成している。
【００６０】
そして、分岐部５Ｄによって分岐された第１の導入路４１が、カルシウム容器３の上部に形成された流入口３１ａに接続される導入路４２と、カルシウム容器３の下部に形成された流出口３１ｂおよび電解槽２の下側容器２１ｂに接続される流出路４３とを備えている。
【００６１】
また、分岐部５Ｄによって分岐された第２の導入路４４は、電解槽２の下側容器２１ｂのみに上下に延在するように一体成形された容器一体通路４６を有しており、カルシウム容器３を通過しない原水が、当該容器一体通路４６を通って電解槽２に導入されるようにしている。
【００６２】
すなわち、原水導入路４内に導入されて下方から上方に向けて流した原水を、下側容器２１ｂのフランジ２１ｄ（下側容器２１ｂの上端）よりも手前で２つの通路に分岐させつつ折り返し、下側容器２１ｂの下部に設けた原水導入口２７から電解槽２内に導入させている。
【００６３】
かかる構成とすることで、外部から導入された原水が電解槽に導入されるまでの一連の配管部分を、下側容器２１ｂが配置された電解槽２の下部にまとめてコンパクトに配管することができるようになる。その結果、ケース本体６内のスペースを有効に使用することができるようになり、アルカリイオン整水器（水処理装置）１の小型化を図ることができるようになる。
【００６４】
このとき、鉛直管（配管）５１を電解槽２の下側容器２１ｂとカルシウム容器３の間に上下に延在するように配置し、第２の導入路４４の一部が下側容器２１ｂに一体成形した容器一体管５４内に形成されるようにすれば、下側容器２１ｂとカルシウム容器３の間の配管設置スペースをより小さくすることができるため、電解槽２の小型化を図りつつ、アルカリイオン整水器（水処理装置）１のさらなる小型化を図れるようになるという利点がある。
【００６５】
また、本実施形態によれば、第１の導入路４１および第２の導入路４４を、電解槽２の原水導入口２７の上流側で合流させている。このように、合流した状態で電解槽２に原水を導入させるようにすれば、原水導入口２７を１つだけ設ければよくなり、構成の簡素化を図ることができる上、電解槽２の製造工程が増加してしまうのを抑制することができる。
【００６６】
また、本実施形態によれば、ケース本体６の側壁６１におけるカルシウム容器３の上端部に対応する位置に凹設部６２を形成し、凹設部６２の底面６２ａにカルシウム容器３の補充口３３が露出するようにしている。その結果、カルシウム容器３内のカルシウム剤が減少した場合に、補充口３３からカルシウム剤を容易に補充することができるようになる。
【００６７】
そして、ケース本体６の天壁６４および側壁６１のうち側壁６１のみに、補充口３３を覆うカバー６３を開閉自在に設けている。このようにカバー６３を設けることで、凹設部６２（補充口３３）内に塵埃等の異物が侵入してしまうのを抑制することができる上、凹設部６２（補充口３３）がカバー６３で目隠しされるため外観性が良くなり商品価値を高めることができるようになる。
【００６８】
（第２実施形態）
本実施形態にかかるアルカリイオン整水器（水処理装置）１Ａは、基本的に上記第１実施形態と同様の構成を備えている。
【００６９】
すなわち、本実施形態にあっても、カルシウム容器３が下側容器２１ｂの側方に配置されており、このカルシウム容器３はケース本体６の下部に配置されている。そして、ケース本体６の側壁６１におけるカルシウム容器３の上端部と対応する位置には凹設部６２が形成されており、その底面６２ａにカルシウム容器３の補充口３３が露出している。
【００７０】
ここで、本実施形態にかかるアルカリイオン整水器（水処理装置）１Ａが、上記第１実施形態のアルカリイオン整水器（水処理装置）１と主に異なる点は、外部から導入された原水が電解槽に導入されるまでの一連の配管構造を別の構造としたことにある。
【００７１】
すなわち、本実施形態では、図４に示すように、カルシウム容器３の筒状ケーシング３１の下部に流入口３１ａが設けられ、上部に流出口３１ｂが設けられている。つまり、流入口３１ａおよび流出口３１ｂは、上記第１実施形態のカルシウム容器３とは上下逆に設けられている。このとき、流入口３１ａには、上記第１実施形態と同様のオリフィス３１ｃが設けられている。
【００７２】
そして、電解槽２の下側容器２１ｂとカルシウム容器３の間で上下に延在するように配置した鉛直管（配管）５１の下部には、分岐部５Ｄが設けられており、当該分岐部５Ｄから一側（図４の左側）に突出する導入管５１ａが、流入口３１ａに連結されている。
【００７３】
また、鉛直管（配管）５１の上部には、上記第１実施形態と同様に、水平方向に延在する水平管５２が連結されており、水平管５２の一端（図４の左端）が流出口３１ｂに連結されている。さらに、本実施形態では、鉛直管（配管）５１の上部の水平管５２とつきあたる部位に合流部５Ｃが形成されている。
【００７４】
また、電解槽２の下側容器２１ｂには容器一体管５４が一体成形されている。この容器一体管５４には、上側連結部５４ａは設けられているが、下側連結部は設けられていない。そして、水平管５２の他端（図４の右端）が容器一体管５４の上側連結部５４ａに連結されている。また、容器一体管５４の下部には、原水導入口２７が形成されている。
【００７５】
かかる構成のアルカリイオン整水器１Ａを用いると、まず、図示省略した蛇口直結型の浄水器等で浄化した水道水（原水）がケース本体６の外部から原水導入路４内に導入される。原水導入路４内に導入された原水は、鉛直管（配管）５１内を下から上へと流れ、分岐部５Ｄで分岐される。
【００７６】
そして、分岐部５Ｄで分岐した原水の一方は、導入管５１ａを通って流入口３１ａからカルシウム容器３（筒状ケーシング３１）内に導入され、カルシウム容器３（筒状ケーシング３１）内を主に下から上に向けて移動する。このとき、カルシウム添加筒３２内のカルシウム剤と接触した原水にカルシウム成分が溶出される。そして、この溶出によりカルシウム成分が添加された原水は、流出口３１ｂから水平管５２を経由して上側連結部５４ａから容器一体管５４内に流入する。そして、容器一体管５４内を上から下に向けて移動し、原水導入口２７から電解槽２内に導入される。このように、本実施形態では、第１の導入路４１は、導入管５１ａ内に形成された導入路４２、水平管５２の一端（図４の左端）内に形成された流出路４３、水平管５２の他側内の通路４５および容器一体通路４６で構成されている。そして、導入路４２と流出路４３の間にカルシウム容器３が配置されている。
【００７７】
一方、分岐部５Ｄで分岐した他方の原水は、鉛直管（配管）５１の分岐部５Ｄよりも下流側および水平管５２の他端（図１の右端）を経由して上側連結部５４ａから容器一体管５４内に流入する。そして、容器一体管５４内を上方から下方に向けて移動する。
【００７８】
このとき、合流部５Ｃで、カルシウム成分が添加された原水とカルシウム成分が添加されていない原水とが合流し、水平管５２の他端（図１の右端）内および容器一体管５４内には混合原水が流れることとなる。そして、混合原水は電解槽２の原水導入口２７から電解槽２内に導入される。このように、第２の導入路４４は、鉛直管（配管）５１の分岐部５Ｄよりも下流側の内部通路、水平管５２の他側内の通路４５および容器一体通路４６で構成されている。すなわち、本実施形態では、水平管５２の他側内の通路４５および容器一体通路４６は、第１の導入路４１および第２の導入路４４を兼ねている。
【００７９】
そして、電解槽２内に導入された混合原水は、分離してそれぞれ陰極室２６および陽極室２５に導入され、陰極室２６ではアルカリイオン水が生成されて吐出管７から吐出され、陽極室２５では酸性水が生成されて排出管８から排出される。
【００８０】
以上の本実施形態によっても、上記第１実施形態と同様の作用、効果を奏することができる。
【００８１】
以上、本発明の好適な実施形態について説明したが、本発明は上記実施形態には限定されず、種々の変形が可能である。
【符号の説明】
【００８２】
１、１Ａ  アルカリイオン整水器（水処理装置）
２  電解槽
２１ａ  上側容器
２１ｂ  下側容器
３  カルシウム容器
３１ａ  流入口
３１ｂ  流出口
３３  補充口
４  原水導入路
４１  第１の導入路
４２  導入路
４３  流出路
４４  第２の導入路
４６  容器一体通路
５１  鉛直管（配管）
５Ｃ  合流部
５Ｄ  分岐部
６  ケース本体
６１  側壁
６３  カバー
【図１】
2013126620.tif 000003
【図２】
2013126620.tif 000004
【図３】
2013126620.tif 000005
【図４】
2013126620.tif 000006